(57)【要約】【課題】良好な操作感を得ることができ、操作スイッチがどのようなスイッチ機能に対応しているか容易に把握できるようにする。【解決手段】  押しボタン部６１は、操作面（ボタン表面）から裏面側の表示画像が視認可能であって側面に支軸７３２Ｌを設ける。操作面の裏面側には押しボタン部６１に対応する機能表示を行う表示部３０を設ける。押しホタン保持部５１には、表示部方向の移動が可能に押しボタン部の支軸６２１Ｌを保持する軸穴と、支軸６２１Ｌを回動軸としたスイッチ操作方向の回動を所定量で規制する規制部を設ける。付勢部７３は、押しボタン保持部５１に保持されている押しボタン部６１をスイッチ操作方向と逆方向の回動方向に付勢する。スイッチ素子４４を押しボタン部６１の裏面側に設けて、保持されている押しボタン部６１の支軸６２１のスイッチ操作に応じた表示部方向の移動によってスイッチ動作を行う。【選択図】        図１２
2015198035.tif 000002
【特許請求の範囲】
【請求項１】
操作面を介して表示画像が視認可能であって、前記操作面の両側面に支軸を設けた押しボタン部と、
前記押しボタン部における前記操作面の裏面側に設けられて前記押しボタン部に対応する機能表示を行う表示部と、
前記押しボタン部の支軸を前記表示部の方向に移動可能に軸穴で保持し、前記軸穴に保持された前記支軸を回動軸とするスイッチ操作方向の前記押しボタン部の回動を所定量に規制する押しホタン保持部と、
前記スイッチ操作方向と逆方向の回動方向に前記押しボタン部を付勢する付勢部と、
前記押しホタン保持部の軸穴に保持された前記押しボタン部の支軸のスイッチ操作に応じた前記表示部の方向の移動によってスイッチ動作を行うスイッチ素子と
を備えるスイッチ装置。
【請求項２】
前記表示部の表示面上に複数の前記押しボタン部が配置されており、
前記表示部では、前記押しボタン部の前記操作面と対向する表示領域で、当該押しボタン部に対応する機能表示を行う
請求項１記載のスイッチ装置。
【請求項３】
前記付勢部の付勢力は、前記スイッチ素子のスイッチ動作で必要とされる操作力よりも少なく設定した
請求項１記載のスイッチ装置。
【請求項４】
前記押しボタン部の支軸は前記両側面の手前側に設け、前記押しボタン保持部における前記押しボタン部の奥側の位置に前記回動を規制する規制部を設けた
請求項１記載のスイッチ装置。
【請求項５】
前記付勢部としてねじりコイルバネを用い、
前記ねじりコイルバネのコイル部は前記押しボタン部における前記側面の前記支軸の近傍に保持して、前記ねじりコイルバネの一方のアームの先端側を前記押しボタン保持部の奥側に係止させて、他方のアームの先端側を前記押しボタン部の手前側に係止させる
請求項１記載のスイッチ装置。
【請求項６】
前記押しボタン部における前記操作面の裏面側で手前側に、前記スイッチ素子の操作部と当接するスイッチ当接部を設け、
前記スイッチ素子は、該スイッチ素子の前記操作部を前記押しボタン部の前記スイッチ当接部と対向させて設けた
請求項１記載のスイッチ装置。
【請求項７】
前記押しボタン部の前記スイッチ当接部は、前記裏面よりも窪んで形成した
請求項６記載のスイッチ装置。
【請求項８】
前記スイッチ素子は、前記押しボタン部に対向する位置に開口が設けられた基板上に載置して、前記スイッチ素子が載置された基板を、前記表示部と、前記押しボタン部が保持されている前記押しボタン保持部との間に設けた
請求項１記載のスイッチ装置。
【請求項９】
前記スイッチ素子はタクティールスイッチである
請求項１記載のスイッチ装置。
【請求項１０】
前記押しボタン部の操作面を凸状の曲面とした
請求項１記載のスイッチ装置。
【請求項１１】
前記押しボタン部の操作面に対する裏面を平面とした
請求項１記載のスイッチ装置。
【請求項１２】
前記押しボタン部の操作面を凹状の曲面とした
請求項１記載のスイッチ装置。
【請求項１３】
前記押しボタン部は透明または半透明な部材を用いて形成した
請求項１記載のスイッチ装置。
【発明の詳細な説明】
【技術分野】
【０００１】
この技術は、良好な操作感を得ることができ、操作スイッチがどのようなスイッチ機能に対応しているか容易に把握できる安価な構成のスイッチ装置に関する。
【背景技術】
【０００２】
従来、放送機器分野等で使用される操作スイッチについては、常に安定した操作力と操作感が求められている。また、放送機器例えばスイッチャーのコントロールパネル等では数多くの操作スイッチが用いられており、操作スイッチがどのようなスイッチ機能に対応しているか容易に把握できることが求められている。
【０００３】
このため、例えば特許文献１の表示装置付き押しボタンスイッチでは、ケースとプランジャを有するケースカバーからなるスイッチ本体と、スイッチ本体を覆う操作ボタンが設けられている。操作ボタンは、ケースカバーの穴より上面に突出したプランジャとして配設されており、操作ボタンの操作に応じて生じるプランジャの上下動をスイッチ本体内で案内し、接触機構部と連動させて電路の開閉を行うように押しボタンスイッチが構成されている。また、操作ボタン内には押さえ板によって固定されるホルダに有機発光表示装置が装着されている。さらに、ケースの外側面の四隅に縦溝が設けられており、この縦溝に摩擦係数の少ない金属製の丸ピンを固定して、丸ピンと操作ボタンの内側面を直線状の接触とすることで、操作力や操作感を安定させることが行われている。
【先行技術文献】
【特許文献】
【０００４】
【特許文献１】特開２００９−１０４９３９号公報
【発明の概要】
【発明が解決しようとする課題】
【０００５】
ところで、操作ボタン内には押さえ板によって固定されるホルダに有機発光表示装置を装着する構成とされている場合、スイッチの数が多くなると表示装置付きスイッチの数が多く必要となりコストアップとなる。また、有機発光表示装置はスイッチ毎に設けられることから、スイッチの数が多くなると有機発光表示装置を個々に駆動しなければならず構成が煩雑となってしまう。さらに、操作ボタンは、ケースカバーの穴より上面に突出したプランジャと凸凹嵌合して配設されており、操作ボタンの操作に応じて生じるプランジャの上下動をスイッチ本体内で案内し、接触機構部と連動させて電路の開閉を行う。このため、スイッチの小型化等が困難である。
【０００６】
そこで、この技術では、良好な操作感を得ることができ、操作スイッチがどのようなスイッチ機能に対応しているか容易に把握できる安価な構成のスイッチ装置を提供することを目的とする。
【課題を解決するための手段】
【０００７】
この技術の第１の側面は、
操作面を介して表示画像が視認可能であって、前記操作面の両側面に支軸を設けた押しボタン部と、
前記押しボタン部における前記操作面の裏面側に設けられて前記押しボタン部に対応する機能表示を行う表示部と、
前記押しボタン部の支軸を前記表示部の方向に移動可能に軸穴で保持し、前記軸穴に保持された前記支軸を回動軸としたスイッチ操作方向の前記押しボタン部の回動を所定量に規制する押しホタン保持部と、
前記スイッチ操作方向と逆方向の回動方向に前記押しボタン部を付勢する付勢部と、
前記押しホタン保持部の軸穴に保持された前記押しボタン部の支軸のスイッチ操作に応じた前記表示部の方向の移動によってスイッチ動作を行うスイッチ素子と
を備えるスイッチ装置にある。
【０００８】
この技術において、押しボタン部は、透明または半透明な部材を用いて構成して、操作面から操作面の裏面側に設けられた表示部の表示画像が視認可能とされている。また、操作面の両側面の一方側、例えば操作者に対して手前側に支軸が設けられており、この一方側の操作面の裏面には、スイッチ素子例えばタクティールスイッチの操作部と当接するスイッチ当接部が裏面よりも窪んで形成されている。表示部の表示面上には複数の押しボタン部が配置されて、表示部は、押しボタン部の操作面と対向する表示領域で、当該押しボタン部に対応する機能表示を行う。押しボタン保持部は、押しボタン部の支軸を表示部方向の移動が可能に軸穴で保持し、軸穴に保持された支軸を回動軸としたスイッチ操作方向の押しボタン部の回動を所定量に規制する。
【０００９】
付勢部は、例えばねじりコイルバネが用いられており、ねじりコイルバネのコイル部は押しボタン部における側面の支軸の近傍に保持する。また、例えばねじりコイルバネの一方のアームの先端側を押しボタン保持部における他方側（操作面の一方側に対して逆側であり、例えば操作者に対して奥側）に係止させて、他方のアームの先端側を押しボタン部の一方側（例えば操作者に対して手前側）に係止させることで、スイッチ操作方向と逆方向の回動方向に押しボタン部を付勢する。付勢部の付勢力は、スイッチ素子のスイッチ動作で必要とされる操作力よりも少なく設定されている。
【００１０】
スイッチ素子は、押しボタン部に対向する位置に開口が設けられた基板上に載置して、スイッチ素子が載置された基板は、表示部と、押しボタン部が保持されている押しボタン保持部との間に設けられる。スイッチ素子は、操作部が押しボタン部のスイッチ当接部と対向する位置とされており、押しホタン保持部の軸穴に保持された押しボタン部の支軸のスイッチ操作に応じた表示部の方向の移動によって操作部が操作されてスイッチ動作を行う。また、押しボタン部の操作面は、平面，凸状の曲面または凹状の曲面のいずれかとされており、操作面の裏面も平面，凸状の曲面または凹状の曲面のいずれかとされている。また、例えば操作面が凸状の曲面で裏面が平面とされている。
【発明の効果】
【００１１】
この技術によれば、押しボタン部は、操作面を介して表示画像が視認可能であって操作面の両側面に支軸が設けられる。押しボタン部における操作面の裏面側には押しボタン部に対応する機能表示を行う表示部が設けられる。押しホタン保持部では、押しボタン部の支軸を表示部の方向に移動可能に軸穴で保持し、軸穴に保持された支軸を回動軸としたスイッチ操作方向の押しボタン部の回動を所定量に規制する。付勢部では、押しボタン保持部に保持されている押しボタン部をスイッチ操作方向と逆方向の回動方向に付勢する。さらに、押しホタン保持部の軸穴に保持された押しボタン部の支軸のスイッチ操作に応じた表示部の方向の移動によってスイッチ動作を行うスイッチ素子が設けられる。
【００１２】
このため、押しボタン部を介して視認された機能表示を参照して、ユーザが付勢部の付勢力よりも大きい操作力で所望の押しボタン部を押すと、押しボタン部の支軸を軸として押しボタン部が回動されて、ユーザは所望の押しボタン部の選択操作感を得ることができる。また、所望の押しボタン部を、スイッチ素子で必要される操作力よりも大きい力でさらに押すと、押しボタン部の支軸の移動によってスイッチ素子の操作部が操作されるので、スイッチ操作が行われたことを示すスイッチ操作感を得ることができる。したがって、良好な操作感を得ることができる。さらに、押しボタン部と表示部の表示面を近接することが可能となり、押しボタン部を介して機能表示を容易に視認できるので、操作スイッチがどのようなスイッチ機能に対応しているか容易に把握できる。また、表示部の画面上に複数の押しボタン部を配置して、押しボタン部に対応した表示領域で機能表示を行うことで、複数のスイッチ機能を有したスイッチ装置を安価に構成できる。なお、本明細書に記載された効果はあくまで例示であって限定されるものではなく、また付加的な効果があってもよい。
【図面の簡単な説明】
【００１３】
【図１】スイッチ装置を用いた操作パネルの外観を例示した斜視図である。
【図２】操作パネルの内部構成を例示した部分断面図である。
【図３】操作パネルの構成を示した図である。
【図４】表示部とスイッチ基板を個々に示した図である。
【図５】１つの押しボタンユニットを示した図である。
【図６】押しボタン保持部を示す斜視図である。
【図７】押しボタン保持部の構成を説明するための図である。
【図８】押しボタン部を示す斜視図である。
【図９】押しボタン部の構成を説明するための図である。
【図１０】付勢部の構成を説明するための図である。
【図１１】押しボタン保持部と押しボタン部と付勢部の組み付けを説明するための図である。
【図１２】スイッチ装置の動作（操作力が加えられる前）を説明するための図である。
【図１３】スイッチ装置の動作（スタンバイ位置の状態）を説明するための図である。
【図１４】スイッチ装置の動作（スイッチ操作位置の状態）を説明するための図である。
【発明を実施するための形態】
【００１４】
以下、本技術を実施するための形態について説明する。なお、説明は以下の順序で行う。
１．実施の形態の構成
２．実施の形態の動作
３．実施の形態の他の構成と動作
【００１５】
＜１．実施の形態の構成＞
図１は、この技術のスイッチ装置を用いた操作パネルの外観を例示した斜視図、図２は、操作パネルの内部構成を例示した部分断面図、図３は操作パネルの構成を示した図である。
【００１６】
操作パネル１０は、例えばパネルシャーシ２０、表示部３０、スイッチ基板４０および複数の押しボタンユニット５０を有している。
【００１７】
パネルシャーシ２０には、各押しボタンユニット５０を装着するための装着穴２１が形成されている。
【００１８】
表示部３０は、平面表示素子例えば液晶表示素子または有機ＥＬ（Electro Luminescence）表示素子等を用いて構成されている。表示部３０の表示面には、スイッチ基板４０が載置されている。また、表示部３０は、押しボタンユニット５０の押しボタン部６１における操作面の裏面側に設けられている。なお、図４は、表示部とスイッチ基板を個々に示した図である。表示部３０は、スイッチ基板４１が載置される表示面３１において、各押しボタンユニット５０の押しボタン部６１と対向する表示領域を機能表示領域３２とする。また、この機能表示領域３２において、対向する押しボタン部の機能表示、すなわち押しボタン部に割り当てられた機能等に関係する表示を行う。
【００１９】
スイッチ基板４０は、表示部３０と各押しボタンユニット５０との間に設けられる。スイッチ基板４０は、表示部３０の機能表示領域３２が基板で隠れてしまうことがないように開口部４２が形成されている。また、スイッチ基板４０における表示部３０と対向する面に対して逆側面は、スイッチ素子載置面４３とされている。スイッチ素子載置面４３には、スイッチ素子４４が押しボタンユニットと対応する位置に設けられている。スイッチ素子４４は、操作部を所定以上の操作力で押すと操作部が移動してオン（オフ）となり、操作力が小さくなると操作部が元の位置に復帰してオフ（オン）となるスイッチ、例えばタクティールスイッチが用いられている。
【００２０】
図５は、１つの押しボタンユニットを示した図である。図５の（Ａ）は押しボタンユニットの正面図、図５の（Ｂ）は平面図（操作面側から見た図）、図５の（Ｃ）は背面図、図５の（Ｄ）は側面図および図５の（Ｅ）は底面図を示している。なお、押しボタンユニット５０、押しボタン保持部５１、押しボタン部６１および付勢部７３は、スイッチ装置を操作するユーザの手前側を正面側で奥側を背面側とする。
【００２１】
押しボタンユニット５０は、押しボタン保持部５１、押しボタン部６１および付勢部７３を用いて構成されている。
【００２２】
押しボタン保持部５１は、押しボタン部６１をスイッチ操作に応じて回動可能および移動可能に保持する。また、押しボタン保持部５１は、パネルシャーシ２０の装着穴２１に挿入されてパネルシャーシ２０を嵌装することで、押しボタンユニット５０をパネルシャーシ２０に固定する。
【００２３】
押しボタン部６１は、操作面から操作面の裏面側に設けられた表示部の表示画像が視認可能であって、操作面の両側面に支軸が設けられている。押しボタン部６１は、スイッチ操作時における操作力を受けてスタンバイ位置（所望の機能の押しボタンを選択した操作位置）に移動する。さらに、押しボタン部６１は、スイッチ素子４４のスイッチ動作で必要とされる操作力よりも大きい操作力を受けてスタンバイ位置からスイッチ操作位置（選択した押しボタンでスイッチ操作を行った操作位置）に移動する。この押しボタン部６１の移動によって、スイッチ素子４４の操作部を操作して、スイッチ素子４４でスイッチ動作を行わせる。
【００２４】
付勢部７３は、押しボタン保持部５１と押しボタン部６１間に設けられている。付勢部７３は、スイッチ操作方向とは逆方向の回動方向に押しボタン部６１を付勢する。また、付勢部７３の付勢力は、スイッチ素子７３のスイッチ動作で必要とされる操作力よりも少なく設定されている。
【００２５】
図６は押しボタン保持部を示す斜視図であり、図６の（Ａ）は斜視図の視点を表面（操作面）側、図６の（Ｂ）は斜視図の視点を裏面側とした場合である。図７は押しボタン保持部の構成を説明するための図であり、図７の（Ａ）は押しボタン保持部の正面図、図７の（Ｂ）は平面図（操作面側から見た図）、図７の（Ｃ）は背面図、図７の（Ｄ）は側面図および図７の（Ｅ）は底面図を示している。
【００２６】
押しボタン保持部５１の筐体５１１には、押しボタン部６１を取り付けるための開口部５１２が設けられている。また、開口部５１２の端部から底面方向に突出して挿入枠５１３が形成されている。
【００２７】
挿入枠５１３は、外側形状がパネルシャーシ２０の装着穴２１に対応した形状およびサイズとされており、爪部５１４、軸穴５２１Ｌ，５２１Ｒ、規制部５２２、係止部５３２Ｌ，５３２Ｒが形成されている。
【００２８】
爪部５１４は、例えば挿入枠５１３の正面側と背面側に設けられており、先端には外面から突出して係止爪５１４ａが形成されている。係止爪５１４ａは、パネルシャーシ２０の装着穴２１に押しボタン保持部５１の挿入枠５１３が挿入されたとき、パネルシャーシ２０と係止して、押しボタン保持部５１をパネルシャーシ２０に固定する。
【００２９】
軸穴５２１Ｌ，５２１Ｒは、挿入枠５１３における側面部分の正面側に形成されている。軸穴５２１Ｌ，５２１Ｒには、押しボタン部６１の支軸が挿入される。軸穴５２１Ｌ，５２１Ｒは、支軸を回動軸として押しボタン部６１を回動可能に保持できるように形成されている。また、軸穴５２１Ｌ，５２１Ｒは、押しボタン部６１をスタンバイ位置からスイッチ操作位置に移動可能に保持できるように形成されている。
【００３０】
規制部５２２は、挿入枠５１３における背面部分の位置で、挿入枠５１３の先端から内側方向に突出して形成されている。規制部５２２は、押しボタン部６１のボタン本体と当接して、押しボタン部６１の回動を所定量で規制する。なお、押しボタン部６１のボタン本体が規制部５２２と当接して、押しボタン部６１の回動が規制された位置を上述のスタンバイ位置とする。
【００３１】
係止部５３２Ｌ，５３２Ｒは、挿入枠５１３における側面部分の背面側の位置で、側面内側から突出して形成されている。係止部５３２Ｌ，５３２Ｒの表面（操作面）側には、付勢部７３のアームが係止される係止溝５３２ａが形成されている。
【００３２】
図８は押しボタン部を示す斜視図であり、図８の（Ａ）は斜視図の視点を表面（操作面）側、図８の（Ｂ）は斜視図の視点を裏面側とした場合である。図９は、押しボタン部の構成を説明するための図であり、図９の（Ａ）は押しボタン部の正面図、図９の（Ｂ）は平面図（操作面側から見た図）、図９の（Ｃ）は背面図、図９の（Ｄ）は側面図および図９の（Ｅ）は底面図を示している。
【００３３】
押しボタン部６１は、透明または半透明な部材を用いて形成されており、ボタン本体６１１の操作面から裏面側に設けられた表示部３０の表示画像、すなわち表示部３０の機能表示領域３２に表示された機能表示が視認可能とされている。ホタン本体部６１１は、例えば、操作面が突出した状態となるように平板を湾曲させた形状とされている。ボタン本体６１１には、係止部６１２、支軸６２１Ｌ，６２１Ｒ、バネ保持部６３１Ｌ，６３１Ｒ、連結アーム受部６３３、スイッチ当接部６４１が形成されている。
【００３４】
係止部６１２は、ボタン本体６１１の背面から突出して形成されている。係止部６１２は、付勢部７３によって押しボタン部６１がスイッチ操作方向に対して逆方向に付勢されても、押しボタン保持部５１の筐体５１１と当接することで、押しボタン部６１のスイッチ操作方向に対して逆方向の回動を規制する。
【００３５】
支軸６２１Ｌ，６２１Ｒは、ボタン本体６１１における側面部分の正面側の位置で突出して形成されている。支軸６２１Ｌ，６２１Ｒは、押しボタン保持部５１に設けられている軸穴５２１Ｌ，５２１Ｒと対応する軸径とされており、上述のように押しボタン保持部５１の軸穴５２１Ｌ，５２１Ｒに挿入される。
【００３６】
バネ保持部６３１Ｌ，６３１Ｒは、ボタン本体６１１における側面部分の例えば支軸６２１Ｌ，６２１Ｒよりも正面側の位置に設けられている。バネ保持部６３１Ｌ，６３１Ｒは、付勢部７３のコイル部を収納できるように窪んで形成されている。
【００３７】
連結アーム受部６３３は、ボタン本体６１１における正面部分から突出して、すなわち手前側に突出して形成されている。連結アーム受部６３３は、操作面側で付勢部７３の連結アームを受け止める。
【００３８】
スイッチ当接部６４１は、押しボタン部６１におけるボタン本体６１１の操作面に対する裏面の手前側（正面部分）に、裏面よりも窪んで形成されている。スイッチ当接部６４１は、スイッチ基板４０に設けられたスイッチ素子４４の操作部と対向する位置とされている。スイッチ当接部６４１は、押しボタン部６１がスタンバイ位置からスイッチ操作位置に移動したとき、スイッチ素子４４の操作部を操作して、スイッチ素子４４でスイッチ動作を行わせる。したがって、スイッチ素子４４は、押しホタン保持部５１の軸穴５２１Ｌ，５２１Ｒに保持された押しボタン部６１の支軸６２１Ｌ，６２１Ｒのスイッチ操作に応じた移動によってスイッチ動作を行う。
【００３９】
図１０は、付勢部の構成を説明するための図であり、図１０の（Ａ）は付勢部の正面図、図１０の（Ｂ）は平面図、図１０の（Ｃ）は側面図を示している。
【００４０】
付勢部７３は、例えば２つのねじりコイルバネを連結した構成とされている。一方のねじりコイルバネのコイル部７３１Ｌは、押しボタン部６１のバネ保持部６３１Ｌに嵌装される。また、このねじりコイルバネの一方のアーム７３２Ｌの長さは、押しボタン部６１を押しボタン保持部５１に保持させたとき、アーム７３２Ｌの先端が押しボタン保持部５１における係止部５３２Ｌの係止溝５３２ａに係止されるように設定されている。さらに、ねじりコイルバネの他方のアームは、他方のねじりコイルバネと接続するための連結アーム７３３として用いられる。
【００４１】
他方のねじりコイルバネのコイル部７３１Ｒは、押しボタン部６１のバネ保持部６３１Ｒに嵌装される。また、このねじりコイルバネの一方のアーム７３２Ｒの長さは、押しボタン部６１を押しボタン保持部５１に保持させたとき、アーム７３２Ｒの先端が押しボタン保持部５１における係止部５３２Ｒの係止溝５３２ａに係止されるように設定されている。さらに、ねじりコイルバネの他方のアームは、他方のねじりコイルバネと接続するための連結アーム７３３として用いられる。
【００４２】
連結アーム７３３は、コイル部７３１Ｌがバネ保持部６３１Ｌに嵌装されて、コイル部７３１Ｒがバネ保持部６３１Ｒに嵌装されている状態となるように、バネ保持部６３１Ｌとバネ保持部６３１Ｌの間隔に応じた長さとされている。また、連結アーム７３３は、コイル部７３１Ｌがバネ保持部６３１Ｌに嵌装されてコイル部７３１Ｒがバネ保持部６３１Ｒに嵌装された状態で、押しボタン部６１の連結アーム受部６３３で支持されるようにコイル部からの長さが設定されている。
【００４３】
図１１は、押しボタン保持部と押しボタン部と付勢部の組み付けを説明するための図である。付勢部７３は、コイル部と連結アームを用いて押しボタン部に取り付ける。具体的には、付勢部７３の連結アーム７３３を破線の矢印ＳＡで示すように押しボタン部６１の連結アーム受部６３３で支持させる。また、一方のコイル部７３１Ｌを押しボタン部６１のバネ保持部６３１Ｌに破線の矢印ＳＢで示すように嵌装させる。同様に、他方のコイル部を押しボタン部の他方のバネ保持部に嵌装させることで、付勢部７３を押しボタン部６１に取り付ける。
【００４４】
次に、付勢部７３が取り付けられた押しボタン部６１は、支軸を用いて押しボタン保持部５１に保持させる。具体的には、押しボタン部６１を押しボタン保持部５１の開口部５１２に破線の矢印ＳＣで示すように挿入する。このとき、押しボタン部６１のボタン本体６１１は、押しボタン保持部５１の規制部５２２よりも表面側であって、押しボタン部６１の係止部６１２が押しボタン保持部５１の筐体５１１よりも裏面側とする。また、押しボタン部６１の一方の支軸６２１Ｌを、破線の矢印ＳＤで示すように押しボタン保持部５１の一方の軸穴５２１Ｌに挿入する。同様に、押しボタン部６１の他方の支軸を押しボタン保持部５１の他方の軸穴に挿入する。このようにして、付勢部７３が取り付けられた押しボタン部６１を押しボタン保持部５１に保持させる。
【００４５】
その後、付勢部７３を押しボタン保持部５１に係止させることで、付勢部７３によって押しボタン部６１をスイッチ操作方向とは逆方向に付勢する。具体的には、付勢部７３の一方のアーム７３２Ｌの先端を、破線の矢印ＳＥで示すように押しボタン保持部５１における一方の係止部５３２Ｌの係止溝に係止させる。同様に、付勢部７３の他方のアームの先端を押しボタン保持部５１における他方の係止部の係止溝に係止させる。このように付勢部７３のアームを押しボタン保持部５１における係止部に係止させることで、付勢部７３の付勢力は、押しボタン部６１の連結アーム受部６３３に加えられることになる。したがって、押しボタン部６１は、付勢部７３によってスイッチ操作方向とは逆方向に付勢された状態となる。
【００４６】
＜２．実施の形態の動作＞
次に、スイッチ装置の動作について説明する。図１２〜図１４はスイッチ装置の動作を説明するための図である。図１２は、スイッチ操作力が加えられる前の状態を示している。図１３は、スタンバイ位置の状態を示している。図１４はスイッチ操作位置の状態を示している。また、図１２〜図１４の（Ａ）は、押しボタン部６１の動きを示しており、図１２〜図１４の（Ｂ）は、押しボタン部６１とスイッチ素子４４の位置関係を示している。
【００４７】
図１２に示すように、スイッチ操作力が加えられる前の状態において、押しボタン部６１は、付勢部７３によってスイッチ操作方向とは逆方向に付勢されている。また、押しボタン部６１は、付勢部７３によってスイッチ操作方向とは逆方向に付勢されていることから、係止部６１２が押しボタン保持部５１の筐体５１１と当接する位置まで回動した状態となる。
【００４８】
また、押しボタン部６１のスイッチ当接面６１４は、スイッチ素子４４の操作部４４１に載置した状態となっており、この状態ではスイッチ素子４４のスイッチ動作で必要とされる操作力が操作部４４１に加えられていない。したがって、スイッチ素子４４は例えばオフ状態である。
【００４９】
図１３に示すように、スイッチ操作力ＦＡが押しボタン部６１に加えられると、押しボタン部６１は、支軸６２１Ｌ，６２１Ｒを回動軸として付勢方向とは逆方向ＭＡに回動する。また、押しボタン部６１は、押しボタン部６１のボタン本体６１１が押しボタン保持部５１の規制部５２２と当接する位置、すなわちスタンバイ位置まで回動する。
【００５０】
また、押しボタン部６１は、ボタン本体６１１が押しボタン保持部５１の規制部５２２と当接するまで支軸６２１Ｌ，６２１Ｒを回動軸として回動することから、スイッチ当接面６１４は、スイッチ素子４４の操作部４４１に載置した状態が継続する。したがって、スイッチ素子４４の操作部４４１には、スイッチ動作で必要とされる操作力が加えられていない状態が継続しているので、スイッチ素子４４は例えばオフ状態が継続する。
【００５１】
図１３に示す状態から、スイッチ操作力ＦＢを押しボタン部６１にさらに加えると、図１４に示すように、押しボタン部６１がスイッチ基板４０の方向である方向ＭＢに移動する。上述のように、軸穴５２１Ｌ，５２１Ｒは、押しボタン部６１をスタンバイ位置からスイッチ操作位置に移動可能に保持できるように形成されている。したがって、押しボタン部６１に、例えばスイッチ素子４４のスイッチ動作で必要とされる操作力よりも大きいスイッチ操作力ＦＢを加えるとする。この場合、押しボタン部６１は、ボタン本体６１１と押しボタン保持部５１の規制部５２２が当接した位置を支点としてスイッチ基板４０の方向ＭＢに移動する。また、押しボタン部６１が方向ＭＢに移動すると、押しボタン部６１に形成されているスイッチ当接部６４１によって、スイッチ素子４４の操作部４４１が操作されて、スイッチ素子４４は例えばオフ状態からオン状態に切り替えられる。
【００５２】
スイッチ操作が終了して、スイッチ操作力が押しボタン部６１に加えられなくなると、押しボタン部６１にはスイッチ素子４４における操作部４４１を元の位置に戻す復元力が加えられる。したがって、押しボタン部６１の支軸６２１Ｌ，６２１Ｒは、操作部４４１の操作前の位置に戻される。また、付勢部７３の付勢力によって、押しボタン部６１の係止部６１２が押しボタン保持部５１の筐体５１１と当接する位置まで、スイッチ操作方向とは逆方向に押しボタン部６１が回動される。すなわち、押しボタン部６１は、図１４に示す位置から、図１２に示す位置に移動する。
【００５３】
このような本技術のスイッチ装置では、押しボタン部６１が付勢部７３によってスイッチ操作方向とは逆方向に付勢されている。したがって、ユーザは付勢部７３の付勢力よりも大きい操作力で押しボタン部６１のボタン本体６１１を押すことで、押しボタン部６１を付勢部７３の付勢力方向とは逆方向に支軸６２１Ｌ，６２１Ｒを軸として回動させることができる。すなわち、押しボタン部６１を回動させるためには、付勢部７３の付勢力よりも大きい操作力が必要となる。したがって、ユーザは所望の押しボタン部をスタンバイ位置とする操作感を得ることができる。
【００５４】
また、押しボタン部６１のボタン本体６１１が押しボタン保持部５１の規制部５２２に当接した状態でさらに操作力を加えると、ボタン本体６１１が規制部５２２に当接した位置を支点としてスイッチ当接部６４１がスイッチ基板４０の方向に移動する。ここで、スイッチ素子４４がタクティールスイッチ等のように、操作部を所定以上の操作力で押すと操作部が移動して例えばオン状態となるスイッチである場合、スイッチ素子の操作部を移動させる操作力が必要となる。したがって、選択した押しボタン部にさらに操作力を加えることで操作部４４１が移動されることになり、スタンバイ位置からスイッチ操作位置への操作感を得ることができる。
【００５５】
したがって、この技術のスイッチ装置では、所望の機能の押しボタンを選択したときの操作感と、選択した押しボタンでスイッチ操作を行ったときの操作感との２段階の操作感が得られる。したがって、この技術のスイッチ装置を用いることで、ユーザは良好な操作感を得ることができる。
【００５６】
さらに、押しボタン部６１の支軸６２１Ｌ，６２１Ｒは押しボタン部６１の側面の手前側に設けられており、付勢部７３のコイル部７３１Ｌ，７３１Ｒは、支軸６２１Ｌ，６２１Ｒの近傍に設けられている。また、付勢部７３のアーム７３２Ｌ，７３２Ｒの先端は、押しボタン保持部５１の挿入枠５１３における側面部分の背面側の係止部５３２Ｌ，５３２Ｒに係止される。また、支軸６２１Ｌ，６２１Ｒを回動軸とした押しボタン部６１の回動は、係止部６１２が押しボタン保持部５１の筐体５１１の係止される位置から、ボタン本体６１１が押しボタン保持部５１の規制部５２２に当接する位置までの範囲とされている。さらに、押しボタン部６１のスイッチ当接部６４１は、ボタン本体６１１の操作面に対する裏面の手前側（正面部分）に、裏面よりも窪んで形成されており、スイッチ当接部６４１でスイッチ素子４４の操作部４４１を押圧する構成とされている。したがって、このような構成とすることで、押しボタンユニット５０の薄型化が可能となり、押しボタン部６１のボタン本体６１１と表示部３０の表示面を近接させることができる。
【００５７】
ここで、ボタン本体６１１と表示部３０の表示面が離れている場合、ユーザの視点位置が操作面に対して傾きを生じると、機能表示領域において押しボタン保持部５１等によって隠れてしまう部分が大きくなる。しかし、この技術によれば、押しボタン部６１のボタン本体６１１と表示部３０の表示面を近接させることができるので、ユーザの視点位置が操作面に対して傾きを生じても、機能表示領域において押しボタン保持部５１等によって隠れてしまう部分が小さくなる。したがって、表示部３０の機能表示に対して良好な視認性を確保できる。
【００５８】
さらに、表示部３０の表示面にスイッチ素子４４や押しボタン部６１等を配置した構成であることから、押しボタン毎に表示部を独立して設ける場合に比べて、複数のスイッチが設けられた操作パネル等を安価で容易に構成できるようになる。
【００５９】
＜３．実施の形態の他の構成と動作＞
ところで、上述のスイッチ装置では、押しボタン部６１のボタン本体６１１は、平板を湾曲させて操作面が凸状の曲面とされている。したがって、操作面が平面となっている場合に比べてボタン本体６１１の中央部を判別しやすくできる。しかし、ボタン本体６１１の形状は、操作面側が突出した状態となるように湾曲させる場合に限られない。例えば、ボタン本体６１１の中央部を凹状に湾曲させた曲面としても、ボタン本体６１１の中央部を判別しやすくできる。
【００６０】
このように、ボタン本体６１１の操作面を凸状または凹状の曲面とすると、操作面が平面である場合に比べて、ユーザの操作位置のばらつきを少なくして中央部で行われやすくなる。したがって、スイッチ装置で良好な操作感を得ることができる。例えば、ボタン本体の奥側が操作される場合、スタンバイ位置への移動に必要な操作力が少なくてすむ。しかし、ボタン本体の奥側は、押しボタン保持部５１の規制部５２２に係止されることから、スタンバイ位置からスイッチ操作位置への移動に大きな操作力が必要となってしまう。また、ボタン本体の手前側が操作される場合、スタンバイ位置となる前にスイッチ操作位置への移動が行われないようにするために、付勢部７３の付勢力とスイッチ素子４４のスイッチ動作で必要とされる操作力の関係を最適化しなければならない。しかし、本技術のスイッチ装置では、操作位置のバラツキが少なくなるようにボタン本体６１１の操作面の形状が設定されている。したがって、付勢部７３の付勢力とスイッチ素子４４のスイッチ動作で必要な操作力の関係を容易に最適化することが可能となり、良好な操作感を容易に得ることができるようになる。
【００６１】
また、ボタン本体６１１の操作面を凸状の曲面として操作面に対する裏面を平面とすると、ボタン本体６１１はレンズとなる。したがって、表示部３０の機能表示を拡大してユーザに提示することが可能となる。なお、押しボタン部の操作面と操作面の裏面は、平面，凸状の曲面または凹状の曲面のいずれかであってもよく、操作面と操作面の裏面の組み合わせも、操作面が凸状の曲面で裏面が平面である場合に限られない。
【００６２】
さらに、ボタン本体６１１を透明な素材とすれば、表示部３０に表示された文字や図形，画像等を識別することができる。したがって、文字や図形，画像等によって機能を表示すれば、押しボタン部６１にどのような機能が設定されているか詳細に判別できる。
また、ボタン本体６１１を半透明な素材とすれば、例えば表示部３０の表示色を容易に判別できる。したがって、表示色で機能を示すことで、押しボタン部６１にどのような機能が設定されているか容易に判別できるようになる。
【００６３】
また、上述した実施の形態では、押しボタン部ユニットにおける押しボタン部６１の支軸６２１Ｌ，６２１Ｒやスイッチ素子４４等を手前側に設けることで、押しボタン部６１の回動方向と押しボタン部６１を操作したときの指先の回動方向を一致させた場合の構成および動作について説明した。しかし、押しボタン部６１の支軸６２１Ｌ，６２１Ｒやスイッチ素子４４等は手前側の位置に限らず、奥側や側面側に設ける構成とすることもできる。すなわち、押しボタンユニットの操作面に対する鉛直方向を軸として、押しボタンユニットを例えば１８０度または９０度回転させた状態で用いるようにして、押しボタンユニットに対応させてスイッチ素子を設けた構成としてもよい。なお、この場合の操作面の形状は、押しボタンユニットの向きにかかわらず、良好な操作感を得ることができるように凸状または凹状等に形成する。
【００６４】
なお、本技術は、上述した技術の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、特許請求の範囲を参酌すべきである。
【００６５】
また、本技術のスイッチ装置は以下のような構成も取ることができる。
（１）  操作面を介して表示画像が視認可能であって、前記操作面の両側面に支軸を設けた押しボタン部と、
前記押しボタン部における前記操作面の裏面側に設けられて前記押しボタン部に対応する機能表示を行う表示部と、
前記押しボタン部の支軸を前記表示部の方向に移動可能に軸穴で保持し、前記軸穴に保持された前記支軸を回動軸とするスイッチ操作方向の前記押しボタン部の回動を所定量に規制する押しホタン保持部と、
前記スイッチ操作方向と逆方向の回動方向に前記押しボタン部を付勢する付勢部と、
前記押しホタン保持部の軸穴に保持された前記押しボタン部の支軸のスイッチ操作に応じた前記表示部の方向の移動によってスイッチ動作を行うスイッチ素子と
を備えるスイッチ装置。
（２）  前記表示部の表示面上に複数の前記押しボタン部が配置されており、
前記表示部では、前記押しボタン部の前記操作面と対向する表示領域で、当該押しボタン部に対応する機能表示を行う（１）に記載のスイッチ装置。
（３）  前記付勢部の付勢力は、前記スイッチ素子のスイッチ動作で必要とされる操作力よりも少なく設定した（１）または（２）に記載のスイッチ装置。
（４）  前記押しボタン部の支軸は前記両側面の手前側に設け、前記押しボタン保持部における前記押しボタン部の奥側の位置に前記回動を規制する規制部を設けた（１）に記載のスイッチ装置。
（５）  前記付勢部としてねじりコイルバネを用い、
前記ねじりコイルバネのコイル部は前記押しボタン部における前記側面の前記支軸の近傍に保持して、前記ねじりコイルバネの一方のアームの先端側を前記押しボタン保持部の奥側に係止させて、他方のアームの先端側を前記押しボタン部の手前側に係止させる（１）乃至（４）の何れかに記載のスイッチ装置。
（６）  前記押しボタン部における前記操作面の裏面側で手前側に、前記スイッチ素子の操作部と当接するスイッチ当接部を設け、
前記スイッチ素子は、該スイッチ素子の前記操作部を前記押しボタン部の前記スイッチ当接部と対向させて設けた（１）乃至（５）の何れかに記載のスイッチ装置。
（７）  前記押しボタン部の前記スイッチ当接部は、前記裏面よりも窪んで形成した（６）に記載のスイッチ装置。
（８）  前記スイッチ素子は、前記押しボタン部に対向する位置に開口が設けられた基板上に載置して、前記スイッチ素子が載置された基板を、前記表示部と、前記押しボタン部が保持されている前記押しボタン保持部との間に設けた（１）乃至（７）の何れかに記載のスイッチ装置。
（９）  前記スイッチ素子はタクティールスイッチである（１）乃至（８）の何れかに記載のスイッチ装置。
（１０）  前記押しボタン部の操作面を凸状の曲面とした（１）乃至（９）の何れかに記載のスイッチ装置。
（１１）  前記押しボタン部の操作面に対する裏面を平面とした（１０）に記載のスイッチ装置。
（１２）  前記押しボタン部の操作面を凹状の曲面とした（１）乃至（９）の何れかに記載のスイッチ装置。
（１３）  前記押しボタン部は透明または半透明な部材を用いて形成した（１）乃至（１２）の何れかに記載のスイッチ装置。
【産業上の利用可能性】
【００６６】
この技術のスイッチ装置では、押しボタン部は、操作面を介して表示画像が視認可能であって操作面の両側面に支軸が設けられる。押しボタン部における操作面の裏面側には押しボタン部に対応する機能表示を行う表示部が設けられる。押しホタン保持部では、押しボタン部の支軸を表示部の方向に移動可能に軸穴で保持し、軸穴に保持された支軸を回動軸としたスイッチ操作方向の押しボタン部の回動を所定量に規制する。付勢部では、押しボタン保持部に保持されている押しボタン部をスイッチ操作方向と逆方向の回動方向に付勢する。さらに、押しホタン保持部の軸穴に保持された押しボタン部の支軸のスイッチ操作に応じた表示部の方向の移動によってスイッチ動作を行うスイッチ素子が設けられる。
【００６７】
このため、押しボタン部を介して視認された機能表示を参照して、ユーザが付勢部の付勢力よりも大きい操作力で所望の押しボタン部を押すと、押しボタン部の支軸を軸として押しボタン部が回動されて、ユーザは所望の押しボタン部の選択操作感を得ることができる。また、所望の押しボタン部を、スイッチ素子で必要される操作力よりも大きい力でさらに押すと、押しボタン部の支軸の移動によってスイッチ素子の操作部が操作されるので、スイッチ操作が行われたことを示すスイッチ操作感を得ることができる。したがって、良好な操作感を得ることができる。さらに、押しボタン部と表示部の表示面を近接することが可能となり、押しボタン部を介して機能表示を容易に視認できるので、操作スイッチがどのようなスイッチ機能に対応しているか容易に把握できる。また、表示部の画面上に複数の押しボタン部を配置して、押しボタン部に対応した表示領域で機能表示を行うことで、複数のスイッチ機能を有したスイッチ装置を安価に構成できるので、押しボタン部が複数設けられている電子機器、例えばスイッチャー等に適している。
【符号の説明】
【００６８】
１０・・・操作パネル
２０・・・パネルシャーシ
２１・・・装着穴
３０・・・表示部
３１・・・表示面
３２・・・機能表示領域
４０・・・スイッチ基板
４２・・・開口部
４３・・・スイッチ素子載置面
４４・・・スイッチ素子
５０・・・ボタンユニット
５１・・・押しボタン保持部
６１・・・押しボタン部
７３・・・付勢部
４４１・・・操作部
５１１・・・筐体
５１２・・・開口部
５１３・・・挿入枠
５１４・・・爪部
５１４ａ・・・係止爪
５２１Ｌ，５２１Ｒ・・・軸穴
５２２・・・規制部
５３２Ｌ，５３２Ｒ・・・係止部
５３２ａ・・・係止溝
６１１・・・ボタン本体
６１２・・・係止部
６２１Ｌ，６２１Ｒ・・・支軸
６３１Ｌ，６３１Ｒ・・・バネ保持部
６３３・・・連結アーム受部
６４１・・・スイッチ当接部
７３１Ｌ，７３１Ｒ・・・コイル部
７３２Ｌ，７３２Ｒ・・・アーム
７３３・・・連結アーム
【図１】
2015198035.tif 000003
【図２】
2015198035.tif 000004
【図３】
2015198035.tif 000005
【図４】
2015198035.tif 000006
【図５】
2015198035.tif 000007
【図６】
2015198035.tif 000008
【図７】
2015198035.tif 000009
【図８】
2015198035.tif 000010
【図９】
2015198035.tif 000011
【図１０】
2015198035.tif 000012
【図１１】
2015198035.tif 000013
【図１２】
2015198035.tif 000014
【図１３】
2015198035.tif 000015
【図１４】
2015198035.tif 000016